(57)【要約】  本発明は、薬剤保存・分配ステーションのための保存容器（１）に関する。公知の保存容器の場合、維持要素の区分は、筐体内のスロットを通して案内しなければならない。スロットの位置が薬剤分の種類によって異なるため、全ての薬剤に対して公知の保存容器を使用することは可能ではない。本発明によれば、この問題は、保持空間（２）を取り囲む筐体（１０）を有する保存容器によって解決され、筐体は、案内区分（１１）及び底面を有し、案内区分（１１）は、案内空間（３）を画定し、筐体を貫通しない垂直案内凹部（２０）を有し、底面（１４）は、分配開口（１５）を有する。保存容器は、少なくとも１つの薬剤分を保持する少なくとも１つの通路（３１）を有する分離デバイス（３０）も備え、維持区分（４１）及び案内要素（４５）を有する維持要素（４０）を備え、案内要素（４５）は、案内凹部（２０）内に配置し、垂直案内凹部（２０）及び案内要素（４５）は相互作用し、維持要素（４０）の高さが、案内要素（４５）により案内凹部（２０）内で調節され、維持手段（４０）の回転運動が防止されるように構成する。【選択図】図３
2020516365.tif 000002
【特許請求の範囲】
【請求項１】
薬剤保存・分配ステーションのための保存容器（１）であって、前記保存容器（１）は、
案内区分（１１）及び底面（１４）と共に薬剤分の保持空間（２）を取り囲む筐体（１０）であって、前記案内区分（１１）は、案内空間（３）を画定し、前記筐体を貫通しない垂直案内凹部（２０）を有し、前記底面（１４）は、分配開口（１５）を有する、筐体（１０）、
前記筐体（１０）の前記案内空間（３）内に配置し、少なくとも１つの薬剤分を受ける少なくとも１つの通路（３１）を有する分離デバイス（３０）、並びに
維持区分（４１）を有する維持手段（４０）であって、前記維持区分（４１）は、前記案内空間（３）内に完全に配置し、前記分配開口（１５）の上に保持し、前記分配開口（１５）と位置合わせした前記通路（３１）に更なる薬剤分が進入しないようにする、維持手段（４０）、並びに
案内手段（４５）
を備え、前記案内手段（４５）は、前記案内凹部（２０）内に配置し、前記垂直案内凹部（２０）及び前記案内手段（４５）は、前記維持手段（４０）が、前記案内凹部（２０）内で垂直に調節可能に前記案内手段（４５）の上に配置し、前記維持手段（４０）の回転移動を防止するように協働する、保存容器（１）。
【請求項２】
前記案内手段（４５）及び前記案内凹部（２０）は、あり継ぎ接続（４９ａ、４９ｂ、２４ａ、２４ｂ）により結合することを特徴とする、請求項１に記載の薬剤保存・分配ステーションのための保存容器（１）。
【請求項３】
前記案内手段（４５）及び前記案内凹部（２０）は、磁気的に作用する保持手段（２５、４２）を介して結合することを特徴とする、請求項１に記載の薬剤保存・分配ステーションのための保存容器（１）。
【請求項４】
前記案内凹部（２０）及び前記案内手段（４５）は、係止手段（４３）を有することを特徴とする、請求項１〜３のいずれか一項に記載の薬剤保存・分配ステーションのための保存容器（１）。
【請求項５】
前記案内空間（３）は円筒形であり、前記案内空間（３）に面する前記案内手段（４５）の表面は、円筒形外形を有することを特徴とする、請求項１〜４のいずれか一項に記載の薬剤保存・分配ステーションのための保存容器（１）。
【請求項６】
前記筐体（１０）は、前記案内区分（１１）の領域内に、前記案内凹部（２０）を配置させる突起（１１ｂ）を有することを特徴とする、請求項１〜５のいずれか一項に記載の薬剤保存・分配ステーションのための保存容器（１）。
【請求項７】
前記維持手段（４０）は、動作要素（４７）を備え、前記動作要素（４７）は、前記案内手段（４５）に結合し、前記案内区分（１１）の外側に配置することを特徴とする、請求項１〜６のいずれか一項に記載の薬剤保存・分配ステーションのための保存容器（１）。
【請求項８】
前記案内凹部（２０）は、垂直案内スロット（２１）を有し、前記案内手段（４５）は、案内突起（４６）を備え、前記案内突起（４６）は、前記案内スロット（２１）を通して延在し、前記動作要素（４７）に結合し、前記案内手段（４５）は、前記案内スロット（２１）を完全に覆うことを特徴とする、請求項７に記載の薬剤保存・分配ステーションのための保存容器（１）。
【請求項９】
前記動作要素（４７）及び前記案内区分（１１）は、保持手段（１６）を備え、前記保持手段（１６）を介して、前記案内空間（３）内の前記維持手段（４０）の高さを固定し得ることを特徴とする、請求項８に記載の薬剤保存・分配ステーションのための保存容器（１）。
【請求項１０】
前記保存容器は、前記動作要素（４７）に適合する開口（２２）を備え、前記開口（２２）は、好ましくは、動作状態において前記開口（２２）が前記案内手段（４５）によって隠されるように配置、形成することを特徴とする、請求項８又は９に記載の薬剤保存・分配ステーションのための保存容器（１）。
【請求項１１】
弾性閉鎖手段（１８）は、前記垂直案内スロット（２１）に関連付けられ、これにより、材料が前記保存容器から漏出しづらくするが、前記案内スロット（２１）内での前記案内突起（４６）の移動を可能にすることを特徴とする、請求項７〜１０のいずれか一項に記載の薬剤保存・分配ステーションのための保存容器（１）。
【発明の詳細な説明】
【技術分野】
【０００１】
本発明は、単位物品、特に薬剤の保存・分配ステーションのための保存容器に関する。
【背景技術】
【０００２】
展開段階に応じて、例えば、ＷＯ２０１３／０３４５０４Ａ１に開示される現代のブリスタ包装機械は、数百の保存・分配ステーションを備える。これらステーションのそれぞれにおいて、特定の薬剤の複数の薬剤分を保存し、個々の薬剤分を要求に応じて分配することができる。このブリスタ包装機械の場合、保存・分配ステーション内に保存した薬剤は、処方された投与時間に従って、患者別にまとめられ、ブリスタ包装される。
【０００３】
薬剤分をまとめる場合、対応する保存・分配ステーションは、１つ又は複数の個々の薬剤分を分配するように作動する。保存・分配ステーションを作動する際、単一の薬剤分は、シンギュレータ（ｓｉｎｇｕｌａｔｏｒ）により分離され、分配開口を介してブリスタ機械の案内デバイスに移送される。案内デバイスにより、任意選択で収集デバイスを介在させ、分配した薬剤分を包装デバイスに供給し、包装デバイスは、個々又は複数の薬剤分を処方に従ってブリスタ包装する。
【０００４】
保存・分配ステーションの保存容器内に保存した薬剤分の分離に関し、分離デバイスは、複数の通路を有する回転子を備え、通路は、通常、回転子の外周上に配置される。通路は、それぞれの薬剤分を寸法に対して分離するように適合し、通路内で、薬剤分が、互いに隣接するのではなく、上下のみに配置できるようにする。通路は、１つの薬剤分のみを通路内で受けることができるように寸法を決定してもよい。
【０００５】
通路から薬剤分を分配する場合、通路は、保存容器の筐体内で分配開口の上を移動し、通路の最下点に配置された薬剤分は、分配開口に摺動又は落下する。通路内に保存した更なる薬剤分、又は通路上の更なる薬剤分も分配されるのを防止するため、分配開口の上の領域において、維持手段の維持区分は、少なくとも、分配開口と位置合わせした通路内若しくはその上に案内又は配置される。この維持区分は、通路内又はその上で、通路の高さに対して配置され、１つの薬剤分のみが維持区分の下に配置し得るようにする。維持区分を通路内に案内し、最も下にある薬剤分を通路の上に配置した薬剤分から分離する場合、個々の通路を分離する突起は、維持区分を受けるスロットを有する。維持区分を通路の上に配置又は案内する場合、維持区分は、通常、突起の上側端部の上でわずかに案内されるだけであり、薬剤分を分配する際に更なる薬剤分が通路に進入するのを防止するようにする。
【０００６】
公知の供給・分配ステーションにおける維持手段の維持区分は、外側から水平筐体スロットを通して保存容器に案内され、通路の設計に応じて、維持区分がこれらの通路の上、又は通路内のスロットに配置されるようにする。上記で既に説明したように、通路、したがって、通路を画定する突起は、分離すべきそれぞれの薬剤分の寸法に適合する。このことは、とりわけ、突起が、異なる薬剤分に対して異なる高さにあることを意味する。複数の薬剤分を通路内で受けることができる場合、維持手段の維持区分が中で係合するスロットの位置も薬剤分の寸法に応じて異なる。このことは、筐体内の水平スロットの位置も薬剤分の寸法に応じて異なり、異なる筐体を異なる薬剤分に対して使用すべきであることを暗示する。言い換えれば、同じ筐体を異なる寸法の薬剤分に対して使用することができない。
【先行技術文献】
【特許文献】
【０００７】
【特許文献１】ＷＯ２０１３／０３４５０４Ａ１
【発明の概要】
【発明が解決しようとする課題】
【０００８】
したがって、本発明の目的は、異なる寸法の薬剤分に対して使用し得る保存・分配ステーションのための保存容器を提供することである。
【課題を解決するための手段】
【０００９】
この目的は、請求項１に記載の保存容器によって達成される。本発明による薬剤保存・分配ステーションのための保存容器は、案内区分及び底面と共に薬剤分の保持空間を取り囲む筐体を備え、案内区分は、大部分が円筒形の案内空間を画定し、筐体を貫通しない垂直案内凹部を有し、底面は、分配開口を有する。保存容器は、筐体の案内区分内に配置され、少なくとも１つの薬剤分を受ける少なくとも１つの通路を有する分離デバイス、及び維持区分を有する維持手段を更に備え、維持区分は、案内区分内に完全に配置され、分配開口の上に保持され、分配開口と位置合わせした通路に更なる薬剤分が進入しないようにする。維持手段の維持区分が少なくとも１つの通路上に保持若しくは案内されるか、又は通路を画定する突起のスロット内に保持若しくは案内されるかどうかは、通路の正確な設計応じて異なり、したがって、本発明に影響を及ぼさない。
【００１０】
維持手段は、案内手段を更に備え、案内手段は、垂直案内凹部内に配置され、垂直案内凹部及び案内手段は、維持手段が、案内凹部内で垂直に調節可能に配置又は支持され、同時に、維持手段の回転又は環状移動を防止するように協働する。
【００１１】
したがって、公知の保存容器では、維持区分を筐体スロットを通じて挿入し、したがって、筐体スロットの位置が薬剤分の寸法に応じて異なることを規定する一方で、本発明によれば、維持手段の高さは、保存容器内で調節可能であり、この目的で、垂直案内凹部は、案内区分内に設けられ、案内凹部は、維持区分の対応する案内手段と協働し、必要な高さの調節を保証することが規定される。垂直案内凹部及び案内手段は、案内区分又は案内空間内での案内手段の径方向のずれ及び円周方向の移動又は環状移動が防止されるように設計される。この移動を防止することは必須である。というのは、維持手段の維持区分は、常に、底面の分配開口と位置合わせした通路と位置合わせするか又は通路内に配置しなければならないためである。
【００１２】
本発明による保存容器では、筐体内にスロットを設けない。このことは、保存・分配ステーション内に形成された薬剤の粉塵又は剥離材料が外側に漏出しないという更なる利点を有する。このことは、時として、現代のブリスタ包装機械が、薬剤粉塵が清掃の必要性を増大させる超クリーン・ルームで使用されることに照らして、特に重要である。
【００１３】
案内凹部及び案内手段の正確な設計は、一方で、案内凹部／案内手段の組合せに対して、維持手段の高さが調節可能であり、もう一方で、維持手段が径方向、円周方向又は環状に移動可能ではないことを保証されるかぎり、本発明にとって必須ではない。
【００１４】
構造的に特に単純な実施形態では、案内手段及び案内凹部があり継ぎ接続により結合されることが好ましい。代替的に、案内手段及び案内凹部は、磁気保持手段を介して結合することを規定し得る。また、維持部分を分離デバイスの突起内のスロット内に保持する際、案内凹部の側面が垂直に互いに平行に形成されれば十分であり得る。
【００１５】
本発明によれば、案内手段の高さは、案内凹部内で調節可能であるように構成する。重力により、維持区分は、分離デバイス上に載置されるか、又は突起を分割する水平スロット内に保持される。言い換えれば、案内手段は、案内区分において高さが調節可能であるにもかかわらず、必ずしも案内手段の高さを固定し得るように構成されない。高さの柔軟さも可能にするため、好ましい実施形態では、案内凹部及び案内手段が、そのような高さの柔軟さを可能にする係止手段を有することを規定してもよい。
【００１６】
本発明によれば、案内手段は、案内凹部内に配置され、案内凹部は、案内区分内に形成される。案内区分は、大部分が円筒形の案内空間を画定する。したがって、それ以外の場合では、案内手段は円筒形案内空間であるが、案内凹部の設計のため、案内凹部が円筒形案内空間を「中断する」ケースである。この中断により、薬剤分を損なう又は粉塵が中に蓄積するのを防止するため、好ましい実施形態では、案内空間に面する案内手段の表面が円筒形外形を有することを規定する。
【００１７】
本発明によれば、案内凹部は、筐体又は案内区分を貫通しない。筐体が、案内区分の全体領域において凹部の形成を可能にする壁厚を有さないようにするため、好ましい実施形態では、筐体は、案内区分の領域内に、案内凹部を配置させる突起（即ち、筐体壁の補強盛り）（のみ）を有することを規定する。
【００１８】
既に示したように、分離すべき薬品分の寸法は、通路又は突起の構成を決定し、この構成は、維持手段の構成、即ち、筐体の円筒形区分における「高さ」又は位置を必要とする。維持手段の「高さ」に外側からも影響を及ぼすことができるように、好ましい実施形態では、維持手段は、動作要素を備え、動作要素は、案内手段に結合され、案内区分の外側に配置されることが規定される。案内手段と動作要素との間の結合は任意である。例えば、案内手段及び動作要素の両方において、磁石を配置し、磁石により、結合を生じさせることを規定することができる。
【００１９】
上述のように、筐体スロットが存在しないために、粉塵が外側に漏出しないことは、本発明による保存容器の更なる利点である。据え付け位置のため、又は分離すべき薬剤分の性質のために、筐体スロットの存在があまり関係がないか又は関係しない場合、一実施形態では、維持手段と動作要素との間の結合に対し、案内凹部が、垂直案内スロットを有し、案内手段が、案内突起を備え、案内突起は、案内スロットを通じて延在し、動作要素に結合され、案内手段は、案内スロットを完全に覆うことを規定してもよい。
【００２０】
動作要素を有する保存容器の実施形態は、維持手段の高さの調節を案内区分の外側から可能にする。維持手段の維持区分が分離デバイスの突起のスロット内に案内される場合、設定した高さをこのスロットによって固定し、維持区分、したがって維持手段が、１つ又は複数のスロットの配置のために上下に移動しないようにする。維持区分が突起又は通路開口の上部に載置される場合でさえ、維持手段、及び上から維持区分上に押圧される薬剤分の自重のため、維持手段が上に移動する可能性は低い。しかし、維持手段の高さが固定されていない場合、維持手段は、維持区分と共に、突起の上部又はスロット内のいずれかに載置される。このことを回避するため、好ましい実施形態では、動作要素及び案内区分は、保持手段を備え、保持手段を介して、案内空間内の維持手段の高さを固定し得ることを規定する。この目的で、保持手段は、噛み合い、この噛み合いによって高さの固定を生じさせるように設計される。例えば、保持手段は、係止手段として形成することができる。
【００２１】
保存容器には、通常、複数の異なる種類の薬剤が経時的に充填され、これらの薬剤は、通常、異なる寸法を有し、したがって、異なる分離デバイスの使用を必要とする。分離デバイスを保存容器から取り外すために、維持手段を保存容器から取り外す必要がある。維持手段が、動作要素等の構成要素を外側に案内するように設計した場合、好ましい実施形態では、保存容器は、動作要素に適合する開口を備えることが規定される。維持手段を取り外す間、この開口を通じて、外側に配設した動作要素を内側に押すことができるように維持手段の高さを調節し、維持手段を内側で取り外すことができるようにする。粉塵粒子がこの開口を通じて漏出するのを防止するため、この開口は、好ましくは、円筒形区分又は筐体内に配置、形成し、動作状態では、開口が案内手段によって隠されるようにする。
【００２２】
薬剤粉塵の漏出を更に回避するため、垂直案内スロットを筐体の円筒形区分内に設ける保存容器の一実施形態では、弾性閉鎖手段を垂直案内スロットと関連付け、これにより、粉塵粒子が保存容器から漏出しづらくするが、同時に、案内スロット内での案内突起の移動を可能にすることが好ましい。例えば、案内手段は、案内手段が案内スロットを貫通しない位置で案内スロットを覆う一種の弾性コームとして形成してもよい。
【００２３】
以下、本発明による保存・分配ステーションのための保存容器の好ましい実施形態を添付の図面を参照しながら説明する。
【図面の簡単な説明】
【００２４】
【図１ａ−１ｄ】本発明による保存容器の第１の好ましい実施形態の図である。
【図２ａ−２ｃ】保存容器の第１の実施形態の断面図である。
【図３】第２の好ましい実施形態の断面図である。
【図４ａ−４ｂ】保存容器の第３の実施形態の断面図である。
【図５】第３の実施形態の案内凹部の詳細図である。
【図６】第３の好ましい実施形態の側面図である。
【発明を実施するための形態】
【００２５】
図１ａ及び図１ｂは、薬剤保存・分配ステーションのための保存容器１に対する第１の好ましい実施形態の２つの斜視図を示す。図１ｃは、保存容器の上面図を示し、図１ｄは、図１ｃの詳細図を示す。保存容器の全ての表現において、保存容器の通常動作で設けられるカバーは、より良好に見せるために省く。図１ａ〜図１ｃに示す本発明による保存容器は、薬剤保存・分配ステーションの一部であり、その名前が既に明らかにしているように、分離すべき薬剤分が保存容器内に保存される。保存容器１は、分離デバイスを更に備え、分離デバイスは、保存容器及び分配部にわたり延在する分離機構の一部であり、以下の図を参照しながらより詳細に説明する。分配部は、例えば、分離デバイスのための制御器及び駆動器を備えることができる。
【００２６】
保存容器自体は、薬剤分（図示せず）の保持空間２を取り囲む筐体１０を備え、この筐体は、中間領域内の案内区分１１及びその下の足区分１２を備える。案内区分は、大部分が円筒形の案内空間を画定し、以下で説明するように、分離デバイスを中に配置する。案内空間は、「大部分が」円形である。というのは、以下でもより詳細に説明するように、案内部分において、案内区分の内部で完全な円筒形を中断する案内凹部が設けられるためである。保存容器の筐体は、ハンドル１３を更に備え、ハンドル１３を用いて、保存容器１は、保存・分配ステーションの分配部から容易に取り外すことができる。
【００２７】
図１ｃからわかるように、筐体の案内空間３又は案内区分１１は、底面１４によって底部で閉鎖しており、底面１４には、分配開口１５及び中心開口を備え、図１ｃにおいて、案内空間３（図２ａを参照）内に配置した分離デバイス３０の結合手段３５が示される。
【００２８】
図１ｃにおいて、維持手段は、筐体の案内区分１１の右側領域内に配置され、維持手段の維持区分４１は、底部開口１５と位置合わせされる。維持区分は、分配開口１５と位置合わせした通路を閉鎖し、更なる薬剤分が、分配開口１５と位置合わせした通路に貫入できないようにする（図４ａ、図４ｂも参照）。維持手段は、案内区分１１の案内凹部２０内の案内手段４５を介して組み付け、案内凹部２０及び案内手段４５の設計は、分離デバイスの回転時、案内手段が径方向にずれないこと、言い換えれば、案内手段が、分離デバイスと共に円周方向で移動しないが、常に分配開口と位置合わせされることを保証する。
【００２９】
図１ｄは、案内凹部２０及び案内手段４５の領域内の案内区分１１の正確な構成を詳細に示す。２つの上述の構成要素は、あり継ぎ接続を介して互いに結合され、これにより、案内手段４５は、径方向及び円周方向に変位可能ではないが、高さ（即ち、軸方向）の点で移動可能であることを保証する（即ち、径方向、円周方向に凸形の接続が存在する）。あり継ぎ接続を形成するため、案内凹部２０を画定する側壁２４ａ、２４ｂ、及び案内手段の境界を定める側壁４９ａ、４９ｂは、対応して、円錐形で内向きに収束している。
【００３０】
図２ａ〜図２ｃは、本発明による保存容器の第１の実施形態の様々な断面図を示す。図２ａにおいて、維持手段の維持区分４１は、分離デバイス３０の突起３２の上で保持されることがわかる。図２ａ〜図２ｃにおいて、保存容器の案内区分１１内の垂直案内凹部２０が見える。図示の実施形態では、案内手段４５は、あり継ぎ接続を介して案内凹部内に保持される。案内凹部２０自体は、案内区分１１の壁を貫通しないため、従来技術による保存容器とは対照的に、薬剤粉塵が漏出しないようにする。
【００３１】
図３は、第２の好ましい実施形態の断面図を示す。この第２の実施形態では、案内手段は、高さが調節可能であるだけでなく、高さを固定可能でもある。高さを固定可能にすることは、係止手段４３を介して達成され、係止手段４３は、案内凹２０の後壁上に配置され、後壁に面する案内手段の側部上又はその中で、対応する係止手段（図示せず）と協働する。高さを固定可能にすることは、磁気的に作用する保持手段２５、４２によって更に達成することができ、保持手段２５、４２は、後壁及び案内手段４５内に配置される。保持手段２５、４２は、案内突起内で案内手段を結合するために使用することもできる。したがって、磁気保持手段は、軸方向、径方向及び円周方向での固定のために使用することができる。軸方向固定に対する２つの上述の構成は、１つの図又は一実施形態において技術的な説明の理由で示すにすぎず、あくまでも実際的には、これら２つの種類の固定は、通常、おそらくは代替的に使用される。
【００３２】
図４ａ、図４ｂ及び図５は、本発明による保存容器の第３の実施形態を示し、案内凹部２０は、案内手段４５上に形成した案内突起４６が中を通って延在する垂直案内スロット２１を有する。図４ａ及び図４ｂからわかるように、分離デバイス３０は、回転子の形状で設計され、少なくとも１つの薬剤分を受ける複数の通路３１を備える。通路３１は、複数の突起３２によって形成され、突起３２の外周部は、案内区分１１の内壁に接して載置される。分離デバイス３０は、円錐面を有し、この円錐形状により、薬剤分が、例えば、分離デバイス表面の中心に残らないことを保証する。図示の実施形態では、このシンギュレータの円錐面は、薬剤分を外周の方、したがって、通路３１の方に向ける複数の隆起３６も含む。
【００３３】
更に、図示の実施形態では、特に図５からわかるように、案内凹部２０において、開口２２が形成され、開口２２を通じて、維持手段を据え付ける間、動作要素４７を案内することができる。上述の動作要素及び案内突起４６により、維持手段４０は、分離デバイスの回転軸に対して平行な案内凹部内に固着される。
【００３４】
図４ａ、図４ｂにおいて、分離デバイス３０及び分配開口１５に対する維持手段の位置合わせ、並びに維持手段自体を詳細に示す。図４ａにおいて、筐体１０及び案内区分１１の一部は省いており、維持手段４０又はその維持区分４１は、底面の分配開口１５の上に配置されることがわかり、このため、通路３１を分配開口と位置合わせした際、維持区分の下の通路内に配置された薬剤分（複数可）のみが分配される。
【００３５】
図４ａ及び図４ｂにおいて、第３の実施形態による維持手段のより詳細な構造を見ることができる。維持手段は、案内手段４５を備え、案内手段４５は、図４ｂでは部分的にしか見えない垂直案内凹部内に配置される。案内スロット２１を通って延在する案内突起４６は、案内手段４５の下側区分内で外側に延在する。動作要素４７は、案内スロット２１よりも幅が広く、径方向、円周方向又は環状に固定した案内手段４５を固定し、案内突起４６上に配置される。
【００３６】
したがって、図示の実施形態では、動作要素４７は、動作要素４７と案内手段４５との間に案内区分の一区分を「留めること」によって維持手段の固定も保証する。代替又は追加として、対応する固定は、例えば、第１の実施形態で説明した一種のあり継ぎ接続の使用により、案内凹部及び案内手段の適切な構成により行われる。
【００３７】
図４ｂから、分離デバイス３０は、結合手段３５を備えることもわかり、結合手段３５により、分離デバイス３０を駆動器に結合することができる。代替実施形態では、保存容器自体が、分離デバイスを回転させる駆動器を備えることも想定することができる。
【００３８】
図５は、案内凹部の詳細図を示し、維持手段は、回転軸の方に変位する。維持手段の維持区分４１は、平坦端部４２を有し、保持空間内に配置された薬剤分を下から優しく把持できるようにする。案内凹部２０は、底面内の分配開口１５の上に配置され、図示の実施形態では長方形を有する。上記の図を参照しながら既に説明したように、中心において、案内凹部は、案内区分１１を通って延在する案内スロット２１を備える。案内凹部２０の上側区分において、開口２２の一部も見ることができ、開口２２を通して動作要素を案内することができ、これにより、保存容器自体への維持手段の据え付けを容易にする。図５では保持手段１６を示し、保持手段１６を介して、維持手段を（案内凹部又は分離デバイスに対して）特定の「高さ」で同軸に固定することができる。図示の実施形態では、保持手段１６は、係止手段として設計される。
【図１ａ】
2020516365.tif 000003
【図１ｂ】
2020516365.tif 000004
【図１ｃ】
2020516365.tif 000005
【図１ｄ】
2020516365.tif 000006
【図２ａ】
2020516365.tif 000007
【図２ｂ】
2020516365.tif 000008
【図２ｃ】
2020516365.tif 000009
【図３】
2020516365.tif 000010
【図４ａ】
2020516365.tif 000011
【図４ｂ】
2020516365.tif 000012
【図５】
2020516365.tif 000013
【図６】
2020516365.tif 000014
【国際調査報告】
2020516365.tif 000015
2020516365.tif 000016
2020516365.tif 000017
2020516365.tif 000018
2020516365.tif 000019
2020516365.tif 000020
2020516365.tif 000021
2020516365.tif 000022